(57)【要約】【課題】本発明は、送風装置を構成するファンモータに対して、組立ておよびメンテナンスの作業性の向上化を図り、構成が簡素でコスト性に優れるモータ固定装置を備えた空気調和装置を提供する。【解決手段】ユニット本体１は内部を仕切り板６によって二室に区画され、一室側に室内熱交換器５を収容する熱交換室Ｂが形成され、他室側にファンモータ１６とファン４とから構成される送風装置Ｓを収容する送風室Ａが形成され、送風室に備えられファンモータを固定支持するモータ固定装置２０は、送風室に取付け固定されファンモータを支持するモータ支持台２３と、ファンモータをモータ支持台に押付け固定するモータ固定具２２とから構成され、モータ支持台は、所定間隔をもって並設され端縁に一体に固定具用爪部２５が突設される２枚のモータ支持板部２３ａを備え、モータ固定具はモータ支持板部の爪部にいずれか一方が掛止する左右対称の一対のスリット部２９ａ，２９ｂを有する。【選択図】      図５
2005164073.tif 000002
【特許請求の範囲】
【請求項１】
内部を仕切り板によって二室に区画されたユニット本体と、
このユニット本体の区画された一室側に形成され熱交換器を収容する熱交換室および他室側に形成されファンモータとファンとから構成される送風装置を収容する送風室と、
この送風室に備えられ上記送風装置を構成するファンモータを固定支持するモータ固定装置とを備えた空気調和装置において、
上記モータ固定装置は、
上記送風室に取付け固定され、ファンモータを支持するモータ支持台および、このモータ支持台に対してファンモータを押付け固定するモータ固定具とから構成され、
上記モータ支持台は、互いに所定の間隔をもって並設され、それぞれの端縁に一体に爪部が突設される２枚のモータ支持板部を備え、
上記モータ固定具は、左右対称に一対設けられ、そのいずれか一方に上記モータ支持板部の爪部が掛止するスリット部を有することを特徴とする空気調和装置。
【請求項２】
それぞれの上記モータ支持板部は、互いに連結板部によって連結されて一体構成となし、
それぞれのモータ支持板部の端縁に、上記仕切り板に掛止固定する突出片部が一体に突設されることを特徴とする請求項１記載の空気調和装置。
【発明の詳細な説明】
【技術分野】
【０００１】
本発明は、送風装置を構成するファンモータの支持構造を改良した、たとえば天吊り形の室内ユニットである空気調和装置に関する。
【背景技術】
【０００２】
室内ユニットと室外ユニットから構成される空気調和装置において、いわゆる壁掛け形の室内ユニットのように壁面から突出するものではなく、ほとんど天井板と密着状態にして取付けられ圧迫感を感じさせることのない天井吊り形の室内ユニットを備えた空気調和装置が多用されている。  
この種の室内ユニットは、筐体であるユニット本体の厚さ方向（高さ方向）の寸法を可能な限り短縮して、より圧迫感の少ない形状とする要求がある反面、幅方向（水平方向）には寸法的な制約が比較的少ない。そのため、天井面に沿った広い範囲から熱交換空気を吹出すことで、熱交換作用の効率向上化を図っている。
【０００３】
ここで用いられる送風装置は、両側面から回転軸が突出する、いわゆる二軸モータであるファンモータと、このファンモータの両方の回転軸に取付けられる複数の多翼ファンからなるタイプのものが主となっている。そして、送風装置として組立て作業のし易い構成であることは勿論のこと、多翼ファンは構造上、塵埃が付着し易いところから、ファンモータごと取外して付着した塵埃を除去するメンテナンス作業を容易に行える構造とすることが望ましい。
【０００４】
［特許公報１］には、送風機用モータの取付け台が開示されていて、平面部を有する略Ｕ形状で、一端に爪部を、他端には外方に向かうフランジ部を形成してなる一対の脚部を備え、上記爪部に係止可能な係止穴と、フランジ部の締付穴に締付可能な取付け穴を有する取付け金具でファンモータをモータ台に固定するようになっている。  
［特許公報２］には、駆動モータのボス部に防振ゴムを嵌合し、この防振ゴムをモータ支持部材で挟むことによりモータを固定するもので、モータ支持部材は本体に固定される固定板と、この固定板に一端部がヒンジ結合され他端部が防振ゴムを挟むように開閉自在な可動板とで構成されるファンモータの支持構造が開示されている。
【特許文献１】実公昭６２−  ２４１６８号公報
【特許文献２】特開平１１−１０１４６２号公報
【発明の開示】
【発明が解決しようとする課題】
【０００５】
上述した［特許文献１］では、取付け台を構成する脚部に、脚部の面方向に沿って爪部が突設され、脚部のフランジ部は外側に折曲され締付穴が設けられる。爪部に掛合する掛止穴を備えた取付け金具は、フランジ部に載るとともに締付穴と対向する位置である外側部位に取付け穴が設けられ、これら穴部に締付具が挿入される。  
このように、取付け台自体は一種類のものを製造すればよいが、取付け金具は取付け穴の位置が左右に異なる二種類のものを用意しなければならず、左右の脚部に対応する専用の取付け金具が必要となる。そのため、部品点数が増加してコストの増加、組立て作業時における困難さなどが生じてしまう。  
また、上述した［特許文献２］では、固定板にヒンジを介して可動板を回動自在に支持し、さらに可動板に対して固定板を取付け固定する固定具が必要であるなど、構成が複雑であり、コストに与える影響が無視できないものとなる。
【０００６】
本発明は、上記事情に着目してなされたものであり、その目的とするところは、送風装置を構成するファンモータに対して、組立ておよびメンテナンスの作業性の向上化を図り、構成が簡素でコスト性に優れるモータ固定装置を備えた空気調和装置を提供しようとするものである。
【課題を解決するための手段】
【０００７】
本発明は上述の目的を満足するためになされたものであり、ユニット本体は内部を仕切り板によって二室に区画され、このユニット本体の区画された一室側に熱交換器を収容する熱交換室が形成され、他室側にファンモータとファンとから構成される送風装置を収容する送風室が形成され、この送風室に送風装置を構成するファンモータを固定支持するモータ固定装置を備えた空気調和装置において、  
上記モータ固定装置は、送風室に取付け固定されファンモータを支持するモータ支持台と、このモータ支持台に対してファンモータを押付け固定するモータ固定具とから構成されており、上記モータ支持台は、互いに所定の間隔をもって並設されそれぞれの端縁に一体に爪部が突設される２枚のモータ支持板部を備え、上記モータ固定具はモータ支持板部の爪部にいずれか一方が掛止する左右対称の一対のスリット部を有する。
【発明の効果】
【０００８】
本発明によれば、送風装置を構成するファンモータに対して、組立ておよびメンテナンスの作業性の向上化が得られ、構成が簡素でコスト性に優れるモータ固定装置を備えられるという効果を奏する。
【発明を実施するための最良の形態】
【０００９】
以下、図面を参照して本発明に係る空気調和装置の実施の形態について説明する。  
図１は空気調和装置を構成する室内ユニットの全体斜視図、図２は室内ユニットの断面図、図３は室内ユニットの内部構造を示す底面図、図４はファンモータ１６と、このファンモータ１６を取付け固定するモータ固定装置２０の斜視図、図５はモータ固定装置２０の分解した斜視図、図６はモータ支持台２３の平面図、図７はモータ固定装置２０を取付けた状態の側面図である。
【００１０】
図中１はユニット本体であり、図示しない天井から吊り下げられた吊りボルトに引掛けられ天井面に極く近接した状態で取付けられる。このユニット本体１は、厚さ方向（高さ方向）寸法と比較して幅方向（水平方向）寸法が極めて大であることが特徴の一つとなっている。  
ユニット本体１は、下面を構成する底板部１ａと、吊り下げられた状態で天井と近接する上面を構成する天板部１ｂと、これら底板部１ａと天板部１ｂとを連結する左右一対の側板部１ｃおよび背面部１ｄとから構成される。なお、側板部１ｃのみサイドカバー１ｅで覆われる。底板部１ａには、底板部１ａの幅方向とは直交する前後方向の略半分程度の位置で、幅方向に沿いグリル１０とフィルタ１１が着脱自在に嵌め込まれた吸込み口２が設けられる。
【００１１】
また、ユニット本体１の背面部１ｄと相対向する前面部は、水平ルーバ１３が開閉自在に取付けられた吹出し口３となっていて、この吹出し口３における水平ルーバ１３のさらに奥部には縦ルーバ１２が回動自在に取付けられている。  
ユニット本体１内部には仕切り板６が設けられる。この仕切り板６は、先に説明したグリル１０が嵌め込まれる吸込み口２の一側縁に沿って立設され、ユニット本体１の天板部１ｂに当接するように延出される。また、仕切り板６はユニット本体１を構成する左右の側板部１ｃに当接するように延出されるところから、ユニット本体１内は仕切り板６によって前後方向に二室Ａ，Ｂに区画されることになる。
【００１２】
ユニット本体１内部は仕切り板６を挟んで吸込み口２側に後述する送風装置Ｓおよび送風装置Ｓを駆動制御する電気部品箱９等が配置収容される送風室Ａと、吹出口３側に室内熱交換器５が収容配置される熱交換室Ｂが形成されている。  
上記熱交換室Ｂから先に説明すると、ここには上記室内熱交換器５と、この室内熱交換器５の下部にドレン受け７が収容される。上記室内熱交換器５は、ユニット本体１が縦方向寸法を極力短縮して形成されるため、極く傾いた状態で斜めにして配置される。
【００１３】
上記ドレン受け７は、たとえば厚肉の合成樹脂材から形成されていて、斜めに傾けた室内熱交換器５から冷凍サイクル運転にともなって生成され滴下するドレン水滴の全てを受けられるように、熱交換室Ｂの底面のほとんど全部を占める面積に形成される。  
そして、ドレン受け７にはドレンポンプが取付けられ、ドレン受け７に集溜するドレン水を、ドレン受け７に接続するドレンホース（いずれも図示しない）を介して排出するようになっている。  
上記熱交換室Ｂ上部には室内熱交換器５の上端部を支持する上部断熱材７ａが設けられていて、室内熱交換器５の冷凍サイクル作用にともなう発熱（温熱・冷熱）がユニット本体１を形成する板材に伝達しないように、上記ドレン受け７と同様、厚肉に形成される。
【００１４】
つぎに、上記送風室Ａに配置される送風装置Ｓについて説明する。  
この送風装置Ｓは、後述するモータ固定装置２０に固定支持され、両側面から回転軸１７ａ，１７ｂが突出する、いわゆる二軸モータであるファンモータ１６を備えている。なお、一方の回転軸１７ｂには図示しないカップリングを介して連結軸１７ｃが連結されていて、一体化した長尺状の回転軸をなす。以下、これを単に回転軸１７ｂと呼ぶ。
【００１５】
送風装置Ｓは、ファンモータ１６のそれぞれの回転軸１７ａ，１７ｂに嵌着される送風ファン４および、この送風ファン４に対して軸方向を除いて囲撓するファンケース１４とからなる。ファンモータ１６は１台であるのに対して、送風ファン４とファンケース１４は複数備えられる。上記送風ファン４はいわゆる多翼ファンが用いられていて、回転にともなって軸方向から吸込んだ空気を周方向へ吹出すタイプのものである。
【００１６】
特に図３に示すように、ファンモータ１６はユニット本体１の長手方向中央部から一方向にずれた位置に配置され、この一側面から突出する回転軸１７ａに１個の送風ファン４が取付けられる。ファンモータ１６の他側面から突出する一体長尺状の回転軸１７ｂには、所定間隔を存して複数（ここでは３個）の送風ファン４が取付けられる。  
上記回転軸１７ｂは、その一部が軸受け具１８によって軸支される。上記軸受け具１８は、軸受け固定装置２１を介して天板部１ｂに取付けられる。したがって、ユニット本体１が所定部位に取付けられると、軸受け具１８および軸受け固定装置２１は天板部１ｂから吊り下げ状態となる。
【００１７】
特に図２に示すように、上記ファンケース１４は上下に二分割されて組合わされる。ファンケース１４の両側面は回転軸１７ａ，１７ｂが貫通するとともに送風ファン４の両側面が露出する開口部が設けられていて、送風ファン４の吸込み口体ｎをなす。  
ファンケース１４の周面には断面矩形状の開口部である吹出し口体ｍが一体に突設されていて、この吹出し口体ｍの先端部は上記仕切り板６に設けられる同形状の開口部に嵌め込まれて、熱交換室Ｂ側へ突出する。したがって、送風ファン４の回転にともなって吸込み口体ｎから空気が吸込まれ、吹出し口体ｍから吹出されるようになっている。
【００１８】
つぎに、上記ファンモータ１６を支持固定するモータ固定装置２０について、図４から図７にもとづいて詳述する。  
上記モータ固定装置２０は、ファンモータ１６を支持固定した状態で天板部１ｂに取付けられる。すなわち、ユニット本体１が所定部位に取付けられると、ファンモータ１６およびモータ固定装置２０は天板部１ｂから吊り下げ状態となる。
【００１９】
モータ固定装置２０は、送風室Ａに取付けられファンモータ１６を支持するモータ支持台２３と、このモータ支持台２３に支持されるファンモータ１６をモータ支持台２３に押付け固定するモータ固定具２２とから構成される。  
上記モータ支持台２３についてなお説明すると、左右一対の支持板部２３ａと、これら支持板部２３ａ相互間に架設され、支持板部２３ａ相互を一体に連結する連結板部２３ｂとを備えていて、上面視で略コ字状に折曲げ形成されるものである。
【００２０】
上記モータ支持板部２３ａの相互間隔寸法は、上記ファンモータ１６を構成するモータ本体１６Ａの軸方向長さよりもある程度大に形成され、かつモータ本体１６Ａの両側面に一体に突設されるボス部１６Ｂ相互の端面間寸法よりも小に形成される。  
それぞれのモータ支持板部２３ａにおける図の上端縁一部には、略半円状のモータ受け部３０が切欠加工されている。このモータ受け部３０の曲率半径は、上記ファンモータ１６の両側部にあるボス部１６Ｂの曲率半径と略同一である。なお、実際にファンモータ１６をモータ固定装置２０に固定支持する際は、ボス部１６Ｂの周面に沿って防振用ゴム部材を巻装するので、モータ受け部３０の曲率半径はボス部１６Ｂの曲率半径に防振用ゴム部材の肉厚をプラスした値と略同一となる。
【００２１】
それぞれのモータ支持板部２３ａの端縁で、モータ受け部３０の一方側である上記連結板部２３ｂと隣接する部位に、外方でかつ水平方向に取付け片２４が一体に折曲形成され、それぞれの取付け片２４にはねじ孔からなる取付け用孔２４ａが設けられる。  
モータ支持板部２３ａの端縁で、上記モータ受け部３０を介して取付け片２４とは反対側の部位は斜めに傾斜形成されていて、この傾斜端縁の一部には支持板部２３ａの面方向に突出する固定具用爪部２５が一体に突設される。傾斜端縁の先端は図の上方へ延出されており、これらの端部には互いに内方に対向するよう突出片部２７が一体に折曲形成され、それぞれの突出片部２７には固定用孔部２７ａが設けられる。
【００２２】
各モータ支持板部２３ａのモータ受け部３０とは反対側である図の下端縁に沿って、特に図６に示すように互いに内方に対向して一体に折曲形成される天板部用固定片２６が設けられている。この天板部用固定片２６の一端部には取付け用孔２６ａが設けられ、他端部には天板部用爪部２６ｂが突設される。さらに、モータ支持板部２３ａに対する連結板部２３ｂ、天板部用固定片２６および突出片部２７との折曲部分には、複数の補強用凹陥部３１が一体に設けられている。
【００２３】
上記モータ固定具２２は、特に図５に示すように長手方向寸法よりも幅方向寸法が極く小さい帯板状をなしている。モータ固定具２２の一端部は上記モータ支持板部２３ａに設けられる取付け片２４と略同一幅寸法の取付け部２８が略水平方向に折曲形成されている。この取付け部２８には、取付け用孔２８ａが設けられ、かつ取付け部２８の両側縁は位置決め用片部２８ｂが下方に一体に折曲される。
【００２４】
モータ固定具２２における取付け部２８から先の構成は、半円状に曲成される部分２２ａと、この曲成部２２ａの先端側の斜め直状に形成される部分２２ｂとからなる。モータ固定具２２の曲成部２２ａには内面側に突出する一対の補強用凸部２２ｃが並設される。曲成部２２ａの曲率半径は、上記ファンモータ１６を構成するボス部１６Ｂの曲率半径と略同一であり、実際の曲率半径はボス部１６Ｂの曲率半径に防振用ゴム部材の肉厚をプラスした値と略同一となる。
【００２５】
モータ固定具２２ｂにおける斜め直状部２２ｂの傾斜角度は、モータ支持板部２３ａの固定具用爪部２５が設けられる端縁の傾斜角度と略同一に形成される。直状部２２ｂ先端には左右一対のスリット部２９ａ，２９ｂが並設される。このスリット部２９ａ，２９ｂは上記モータ支持板部２３ａの固定具用爪部２５が挿脱自在に掛合できる幅寸法と長さ寸法に形成される。
【００２６】
このようにして構成されるモータ固定装置２０を介してファンモータ１６を送風室Ａに取付けるのに、ユニット本体１を実際の天吊り取付け状態とは天地を逆にして作業が行われる。すなわち、天板部１ｂが底面側になり、この所定部位にモータ固定装置２０を構成するモータ支持台２３を取付ける。  
具体的には、特に図７に示すようにモータ支持板部２３ａの端部に形成される天板部用固定片２６をユニット本体天板部１ｂ上に載せる。そして、天板部用固定片２６先端の突出片部２６ｂを、天板部１ｂに設けられる掛止用孔８に挿入する。同時に、突出片部２７を仕切り板６の板面に当接させてモータ支持台２３の位置を設定する。
【００２７】
この状態で天板用固定部２６の取付け用孔２６ａが天板部１ｂに設けられるねじ孔である取付け用孔（図示しない）に対向するので、これら孔部２６ａに取付け具を挿入して締付固定する。また、突出片部２７の固定用孔部２７ａが仕切り板６に設けられるねじ孔である取付け用孔（図示しない）に対向するので、これら孔部２７ａに取付け具を挿入して締付固定する。したがって、モータ支持台２３はユニット本体天板部１ｂと仕切り板６に強固に取付け固定されることになる。
【００２８】
ファンモータ１６を用意してモータ本体１６Ａをモータ支持板部２３ａ相互間の上方部に対向させ、かつ降下してモータ支持板部２３ａ相互間に挿入し介在させる。必然的に、モータ本体１６Ａの両側面に突設されるボス部１６Ｂがそれぞれのモータ支持板部２３ａにおけるモータ受け部３０上に載る。  
モータ固定具２２を用意して直状部２２ｂ先端に設けられる一対のスリット部２９ａ，２９ｂのいずれか一方を、モータ支持板部２３ａの固定具用爪部２５に掛合する。特に図４を基準にして見ると、図中右側のモータ固定具２２は左側のスリット部２９ｂを固定具用爪部２５に掛合し、図中左側のモータ固定具２２は右側のスリット部２９ａを固定具用爪部２５に掛合することになる。
【００２９】
上記取付け片２４がモータ支持板部２３ａに対して外方に折曲される一方で、固定具用爪部２５がモータ支持板部２３ａの板面方向に沿って設けられているので、固定具用爪部２５に掛合するスリット部２９ａ，２９ｂは互いに内側のものが用いられる。
【００３０】
そして、それぞれのモータ固定具２２に一対のスリット部２９ａ，２９ｂを設けているので、どのモータ固定具２２を用いてもファンモータ１６に対して左右に取り違えが生じることがなく、組立て作業に神経を使わずにすむ。  
この状態を保持し、ファンモータボス部１６Ｂにモータ固定具２２の曲成部２２ａを沿わせる。すると、モータ固定具２２の傾斜直状部２２ｂがモータ支持板部２３ａの固定具用爪部２５が設けられる前後の傾斜端縁上に載り、モータ固定具２２端部の取付け部２８がモータ支持板部２３ａの取付け片２４上に載る。
【００３１】
取付け部２８の両側縁に沿って設けられる位置決め用片部２８ｂが取付け片２４の両側縁に掛合して、モータ固定具２２の位置ずれ規制をなす。取付け部２８の取付け用孔２８ａは取付け片２４の取付け用孔２４ａに正確に対向し、これら孔部に取付け具３５を挿入して締結固定する。したがって、特に図４に示すようにモータ固定具２２はファンモータ１６をモータ支持台２３に強固に押付け固定することになる。  
全ての構成部品の組立てが終了し、製品として据付けられ、冷凍サイクル運転を行うとともに送風装置Ｓが駆動されると、室内空気が吸込み口２から吸込まれ送風室Ａを介して熱交換室Ｂの室内熱交換器５に吹付けられる。室内空気は室内熱交換器５を通過する際に熱交換し、吹出し口３に備えられる縦ルーバ１２と水平ルーバ１３に案内されて吹出される。
【００３２】
上記送風装置Ｓを構成するファンモータ１６は、上記モータ固定装置２０によって確実に固定支持されており、駆動にともなう振動の発生する余地がない。  
モータ固定装置２０は、送風室Ａに取付け固定され、ファンモータ１６を支持するモータ支持台２３と、このモータ支持台２３に対してファンモータ１６を押付け固定するモータ固定具２２とからなる簡素な構成であり、コストに与える影響が少ない。
【００３３】
上記モータ支持台２３は、互いに所定の間隔をもって並設される２枚のモータ支持板部２３ａを備えるとともに、それぞれのモータ支持板部２３ａに固定具用爪部２５が突設され、この爪部２５にモータ固定具２２を掛合するので、モータ支持板部２３ａに対するモータ固定具２２の取付け作業が簡単にすむ。  
そして、上記モータ固定具２２は、左右対称に一対設けられ、そのいずれか一方にモータ支持板部２３ａの固定具用爪部２５が掛止するスリット部２９ａ，２９ｂを有するので、固定具２２の左右を取り違えることがなく、作業性の向上を得られる。
【００３４】
それぞれのモータ支持板部２３ａを連結板部２３ｂによって連結し、略コ字状板体のモータ支持台２３が一体構成される。モータ支持台２３を送風室Ａに取付けた状態で、略コ字状板体のうちの開放側板体であるモータ支持板部２３ａが天板部１ｂと仕切り板６とに取付け固定され、連結側板体である連結板部２３ｂが非取付け側となる。  
このように連結板部２３ｂを備えて、その位置を定めたから、モータ支持台２３を所定の部位に取付けた状態で、モータ支持板部２３ａの相互間隔が正確に一定に保たれる。したがって、モータ支持板部２３ａ相互間に介在されるモータ本体１６Ａの脱落を確実に防止できる。
【００３５】
それぞれのモータ支持板部２３ａの端縁に、仕切り板６に掛止固定する突出片部２７が設けられるので、一対のモータ支持板部２３ａの相互間隔が正確に一定に保たれる。これにより、モータ支持板部２３ａ相互に取付けられるファンモータ１６の脱落を確実に防止する。
【００３６】
さらに、モータ固定具２２の取付け部２８の両側縁に位置決め用片部２８ｂを設けたから、モータ支持板部２３ａの取付け片２４に対する位置決めが容易となり、モータ固定具２２の位置ずれを確実に規制する。そして、取付け部２８の取付け用孔２８ａを取付け片２４の取付け用孔２４ａに対して位置決めが容易にできる。  
なお、本発明のモータ固定装置２０は上述の構成に限定されるものではなく、本発明の趣旨を越えない範囲内で種々変形実施が可能であり、本発明はこれらの全てを包含するものである。
【図面の簡単な説明】
【００３７】
【図１】本発明の一実施の形態に係る、空気調和装置を構成する室内ユニットの斜視図。
【図２】同実施の形態に係る、室内ユニットの断面図。
【図３】同実施の形態に係る、室内ユニットの内部構造の底面図。
【図４】同実施の形態に係る、モータ固定装置にファンモータを取付けた状態を示す斜視図。
【図５】同実施の形態に係る、モータ固定装置の分解した斜視図。
【図６】同実施の形態に係る、モータ支持台の平面図。
【図７】同実施の形態に係る、モータ固定装置を所定の部位に取付けた状態を示す側面図。
【符号の説明】
【００３８】
６…仕切り板、１…ユニット本体、５…室内熱交換器、Ｂ…熱交換室、１６…ファンモータ、４…多翼ファン、Ｓ…送風装置、Ａ…送風室、２０…モータ固定装置、２３…モータ支持台、２２…モータ固定具、２５…固定具用爪部、２３ａ…モータ支持板部、２９ａ，２９ｂ…スリット部、２３ｂ…連結板部、２７…突出片部。
【図１】
2005164073.tif 000003
【図２】
2005164073.tif 000004
【図３】
2005164073.tif 000005
【図４】
2005164073.tif 000006
【図５】
2005164073.tif 000007
【図６】
2005164073.tif 000008
【図７】
2005164073.tif 000009